(57)【特許請求の範囲】
【請求項１】
導電性基体上に、下引き層、電荷発生層、及び電荷輸送層をこの順に積層された電子写真
感光体において、前記下引き層が、下記構造式（Ｉ）を有する有機金属化合物で表面処理
された金属酸化物粒子と、バインダー樹脂とを含有し、前記下引き層のバインダー樹脂が
、シクロアルカン環構造を構成成分として有する共重合ポリアミドであり、前記電荷輸送
層が、ユニバーサル硬度が１２５Ｎ／ｍｍ２以下、弾性変形率が３５％以上の樹脂を含有
することを特徴とする、電子写真感光体。
構造式（Ｉ）
ＣＨ２＝ＣＲ１−ＣＯＯ−Ｒ２−Ｍ
（Ｒ１は、水素原子又はアルキル基、Ｒ２は、アルキレン基、Ｍは、Ｓｉ（Ｒ３）３、Ｔ
ｉ（Ｒ３）３、又はＡｌ（Ｒ３）２を示す。Ｒ３は、アルキル基又はアルコキシ基を示す
。ただし、複数存在するＲ３のうち、少なくとも１つはアルコキシ基を示す。）
【請求項２】
導電性基体上に、下引き層、及び単層型の感光層を有する電子写真感光体において、前記
下引き層が、下記構造式（Ｉ）を有する有機金属化合物で表面処理された金属酸化物粒子
と、バインダー樹脂とを含有し、前記下引き層のバインダー樹脂が、シクロアルカン環構
造を構成成分として有する共重合ポリアミドであり、前記単層型の感光層が、ユニバーサ
ル硬度が１２５Ｎ／ｍｍ２以下、弾性変形率が３５％以上の樹脂を含有することを特徴と
する、電子写真感光体。
構造式（Ｉ）
ＣＨ２＝ＣＲ１−ＣＯＯ−Ｒ２−Ｍ
（Ｒ１は、水素原子又はアルキル基、Ｒ２は、アルキレン基、Ｍは、Ｓｉ（Ｒ３）３、Ｔ
ｉ（Ｒ３）３、又はＡｌ（Ｒ３）２を示す。Ｒ３は、アルキル基又はアルコキシ基を示す
。ただし、複数存在するＲ３のうち、少なくとも１つはアルコキシ基を示す。）
【請求項３】
前記ユニバーサル硬度が１２５Ｎ／ｍｍ２以下、前記弾性変形率が３５％以上の樹脂が、
ポリアリレート樹脂、又はポリカーボネート樹脂であることを特徴とする、請求項１又は
２に記載の電子写真感光体。
【請求項４】
前記ユニバーサル硬度が１２０Ｎ／ｍｍ２以下であることを特徴とする、請求項１〜３の
いずれかに１項に記載の電子写真感光体。
【請求項５】
前記弾性変形率が４０％以上であることを特徴とする、請求項１〜４のいずれか１項に記
載の電子写真感光体。
【請求項６】
前記構造式（Ｉ）のＲ１がメチル基であること特徴とする、請求項１〜５のいずれか１項
に記載の電子写真感光体。
【請求項７】
前記構造式（Ｉ）を有する有機金属化合物が、金属酸化物粒子１００質量部に対して、５
〜３０質量部であることを特徴とする、請求項１〜６のいずれか１項に記載の電子写真感
光体。
【請求項８】
前記金属酸化物粒子が、ｎ型半導体粒子であることを特徴とする、請求項１〜７のいずれ
か１項に記載の電子写真感光体。
【請求項９】
前記金属酸化物粒子が、前記バインダー樹脂１００質量部に対して５０〜４００質量部で
あることを特徴とする、請求項１〜８のいずれか１項に記載の電子写真感光体。
【請求項１０】
請求項１〜９のいずれか１項に記載の電子写真感光体を用いた、画像形成装置。
【請求項１１】
請求項１〜９のいずれか１項に記載の電子写真感光体を用いた、画像形成装置用のカート
リッジ。
【発明の詳細な説明】
【技術分野】
【０００１】
本発明は、下引き層を有する電子写真感光体に関するものであり、より詳しくは、低温低湿〜高温高湿の初期及び繰り返しを含めた電気特性及び耐摩耗性及び接着性が良好な電子写真感光体に関するものである。 
【背景技術】
【０００２】
電子写真技術は、即時性、高品質の画像が得られることなどから、近年では複写機の分野にとどまらず、各種プリンターの分野でも広く使われ応用されている。電子写真技術の中核となる感光体については、近年ではその光導電材料として、無公害で、成膜が容易、製造が容易である等の利点を有する有機系の光導電材料を使用した感光体が、開発されている。特に光を吸収して電荷を発生する機能と、発生した電荷を輸送する機能を分離した電荷発生層及び、電荷移動層からなる積層型の感光体は、主流となっている。現在これらの感光体は、複写機、レーザープリンター等の画像形成装置の分野に広く用いられている。
【０００３】
電子写真感光体は、導電性支持体上に感光層を形成したものが基本構成である。支持体から電荷注入や支持体の欠陥による画像欠陥の解消、感光層との接着性向上や帯電性の改善のために、感光層と支持体の間に下引き層を設けることが行われている。
下引き層としては、種々の樹脂材料を用いることが知られているが、中でも特に可溶性ポリアミド樹脂が好ましいことが知られている（特許文献１参照）。そして、可溶性ポリアミド樹脂の中でも特定のジアミン成分を構成成分として有する共重合ポリアミド樹脂が、低温低湿下において安定した感光体の電気特性を実現できる樹脂として提案されている（特許文献２参照）。そのようなポリアミド樹脂に無機材料を分散させた下引き層として、例えば、酸化チタンと酸化スズを８−ナイロンに分散させた下引き層（引用文献３参照）、耐リーク特性を改善するためにアクリル基を有する有機金属化合物で表面処理された金属酸化合物粒子を用いた下引き層が知られている（特許文献４参照）。
【０００４】
一方、感光層は、耐摩耗性を向上させるために、種々のバインダー樹脂が検討されている。耐摩耗性が良いバインダー樹脂としては、ユニバール硬度が小さく、弾性変形率が大きい傾向があり、ユニバーサル硬度が小さく、弾性変形率が大きいバインダー樹脂としては、例えばカルボン酸成分にエーテルユニットを有するような特定構造のポリアリレート樹脂が知られている（特許文献５参照）。しかしながら、感光層に、ユニバーサル硬度が小さく、弾性変形率が大きいバインダー樹脂を含有させる場合は接着性が悪くなることが知られている。この問題に対し、ポリエーテル構造を有するポリアミド樹脂を含有する下引き層とすることで、前記ユニバーサル硬度が小さく、弾性変形率が大きい樹脂を有する感光層を有する感光体であっても、接着性を良好に保つことができる（特許文献６参照）。
【先行技術文献】
【特許文献】
【０００５】
【特許文献１】特開昭５６−２１１２９号公報
【特許文献２】特開平４−３１８７０号公報
【特許文献３】特開昭６２−２８０８６４号公報
【特許文献４】特開２０１２−８８４３０号公報
【特許文献５】特開２００６−５３５４９号公報
【特許文献６】特開２０１４−４４４１７号公報
【発明の概要】
【発明が解決しようとする課題】
【０００６】
感光体の感光層に含有される場合に、ユニバーサル硬度が大きい樹脂は、クリーニングブレード等で荷重を受けた際の変形量が小さいので、その力をまともに受けるために脆くなっていき摩耗しやすくなる。一方、ユニバーサル硬度が小さい樹脂の場合は、クリーニングブレードで荷重を受けた場合に変形量が大きく、力を逃がすことができるため、摩耗しにくい傾向にある。しかし、ユニバーサル硬度が小さくても、弾性変形率が小さい場合は、荷重を受けると永久くぼみが大きくなり、歪が大きくなっていくため、樹脂が脆くなり、摩耗が大きくなる。ユニバーサル硬度が小さく、且つ弾性変形率が大きい樹脂の場合は、力をまともに受けず、力が除去されると元に戻りやすいので、歪を抑制でき、耐摩耗性が向上する。一方、ユニバーサル硬度が小さく、弾性変形率が大きい樹脂の場合は、力を受けると大きく縮む。力が除去されると、元に戻りやすいので大きく伸びる。つまり、伸び縮みが大きいため、界面に歪がかかり、感光層が剥がれやすくなると考えられる。
【０００７】
前記感光層の剥がれを改善するために、特許文献６に記載のポリエーテル構造を有するポリアミド樹脂を含有する下引き層では、接着性は向上するが、特に高温高湿下の繰り返しの電気特性が悪くなる場合があった。特に、感光層にユニバーサル硬度が小さく、弾性変形率が大きい樹脂を用いた場合、高画質のために小粒径のトナーを用いた場合等にクリーニング性を上げるために、クリーニングブレード圧大きくしているような画像形成装置における、高温高湿環境での電気特性と接着性を両立できなかった。即ち、本発明は、高温高湿から低温低湿にわたる様々な使用環境下において初期及び繰り返し共に、電気特性に優れ、しかも接着性、及び耐摩耗性にも優れた電子写真感光体、画像形成装置、及びカートリッジを提供することを目的とするものである。
【課題を解決するための手段】
【０００８】
本発明者らは、導電性基体上に、下引き層、及び積層又は単層の感光層を有する電子写真感光体において、下引き層に用いる材料について鋭意検討した結果、前記構造式（Ｉ）を有する有機金属化合物で表面処理された金属酸化合物粒子と、バインダー樹脂とを含む下引き層を用いた感光体が、感光層にユニバーサル硬度が１２５Ｎ／ｍｍ２以下で弾性変形率が３５％以上の樹脂が含有される場合においても、電気特性に優れ、しかも接着性にも優れることを見いだし、本発明に到達した。即ち、本発明の要旨は、以下＜１＞〜＜１１＞に存する。
【０００９】
＜１＞導電性基体上に、下引き層、電荷発生層、及び電荷輸送層をこの順に積層された電子写真感光体において、前記下引き層が、下記構造式（Ｉ）を有する有機金属化合物で表面処理された金属酸化物粒子と、バインダー樹脂とを含有し、前記電荷輸送層が、ユニバーサル硬度が１２５Ｎ／ｍｍ２以下で弾性変形率が３５％以上の樹脂を含有することを特徴とする、電子写真感光体。
構造式（Ｉ）
ＣＨ２＝ＣＲ１−ＣＯＯ−Ｒ２−Ｍ
（Ｒ１は、水素原子又はアルキル基、Ｒ２は、アルキレン基、Ｍは、Ｓｉ（Ｒ３）３、Ｔｉ（Ｒ３）３、又はＡｌ（Ｒ３）２を示す。Ｒ３は、アルキル基又はアルコキシ基を示す。）
＜２＞導電性基体上に、下引き層、及び単層型の感光層を有する電子写真感光体において、前記下引き層が、前記構造式（Ｉ）を有する有機金属化合物で表面処理された金属酸化物粒子と、バインダー樹脂とを含有し、前記単層型の感光層が、ユニバーサル硬度が１２５Ｎ／ｍｍ２以下で弾性変形率が３５％以上の樹脂を含有することを特徴とする、電子写真感光体。
【００１０】
＜３＞該バインダー樹脂がポリアリレート樹脂、又はポリカーボネート樹脂であること
を特徴とする＜１＞又は＜２＞に記載の電子写真感光体。
＜４＞該バインダー樹脂のユニバーサル硬度が１２０Ｎ／ｍｍ２以下であることを特徴とする、＜１＞〜＜３＞のいずれかに記載の電子写真感光体。
＜５＞該バインダー樹脂のヤング率が４０％以上であることを特徴とする、＜１＞〜＜４＞のいずれかに記載の電子写真感光体。
【００１１】
＜６＞前記構造式（Ｉ）のＲ１がメチル基であること特徴とする、＜１＞〜＜５＞のいずれかに記載の電子写真感光体。
＜７＞前記構造式（Ｉ）を有する有機金属化合物が、金属酸化物粒子に対して、５質量％〜３０質量％であることを特徴とする、＜１＞〜＜６＞のいずれかに記載の電子写真感光体。
【００１２】
＜８＞前記金属酸化物粒子が、ｎ型半導体粒子であることを特徴とする、＜１＞〜＜７＞のいずれかに記載の電子写真感光体。
＜９＞前記金属酸化物粒子が、前記バインダー樹脂１００質量部に対して１００〜４００質量部であることを特徴とする、＜１＞〜＜８＞のいずれかに記載の電子写真感光体。
＜１０＞前記バインダー樹脂が、ポリアミド樹脂であることを特徴とする、＜１＞〜＜９＞のいずれかに記載の電子写真感光体。
【００１３】
＜１１＞＜１＞〜＜１０＞のいずれかに記載の電子写真感光体を用いた、画像形成装置。
＜１２＞＜１＞〜＜１０＞のいずれかに記載の電子写真感光体を用いた、画像形成装置用のカートリッジ。
【発明の効果】
【００１４】
本発明によれば、高温高湿度条件から低温低湿度条件にわたる、様々な使用環境において、積層型感光体の電荷輸送層又は単層型感光体の感光層にユニバーサル硬度が１２５Ｎ／ｍｍ２以下で弾性変形率が３５％以上の樹脂を含有している場合でも、感光層と導電性基体との接着性が良好であり、しかも、帯電性、残留電位などの電気特性に優れた高性能な電子写真感光体、該感光体を用いた高性能な画像形成装置、及び該感光体を用いた画像形成装置用のカートリッジを提供することができる。
【図面の簡単な説明】
【００１５】
【図１】押し込み深さと荷重の関係を示した曲線である。
【図２】本発明の画像形成装置の一実施態様の要部構成を示す概略図である。
【発明を実施するための形態】
【００１６】
以下、本発明の実施の形態につき詳細に説明するが、以下に記載する構成要件の説明は本発明の実施形態の代表例であって、本発明の趣旨を逸脱しない範囲において適宜変形して実施することができる。
＜電子写真感光体＞
導電性支持体の上に下引き層が形成され、下引き層の上には感光層が形成される。
【００１７】
[導電性支持体]
導電性支持体について特に制限は無いが、例えばアルミニウム、アルミニウム合金、ステンレス鋼、銅、ニッケル等の金属材料や、金属、カーボン、酸化錫などの導電性粉体を添加して導電性を付与した樹脂材料や、アルミニウム、ニッケル、ＩＴＯ（酸化インジウム酸化錫）等の導電性材料をその表面に蒸着又は塗布した樹脂、ガラス、紙等が主として使用される。これらは１種を単独で用いてもよく、２種以上を任意の組み合わせ及び比率で併用しても良い。導電性支持体の形態としては、ドラム状、シート状、ベルト状などの
ものが用いられる。更には、金属材料の導電性支持体の上に、導電性・表面性などの制御や欠陥被覆のために、適当な抵抗値を有する導電性材料を塗布したものを用いても良い。
【００１８】
また、導電性支持体としてアルミニウム合金等の金属材料を用いた場合、陽極酸化被膜を施してから用いても良い。陽極酸化被膜を施した場合には、公知の方法により封孔処理を施すのが望ましい。支持体表面は、平滑であっても良いし、特別な切削方法を用いたり、粗面化処理を施したりすることにより、粗面化されていても良い。また、支持体を構成する材料に適当な粒径の粒子を混合することによって、粗面化されたものでも良い。また、安価化のためには、切削処理を施さず、センタレス研磨処理や引き抜き管をそのまま使用することも可能である。
【００１９】
[下引き層]
本発明では導電性支持体上に、構造式（Ｉ）を有する有機金属化合物で表面処理された金属酸化物粒子と、バインダー樹脂とを含有する下引き層が形成される。
構造式（Ｉ）
ＣＨ２＝ＣＲ１−ＣＯＯ−Ｒ２−Ｍ
（Ｒ１は、水素原子又はアルキル基、Ｒ２は、アルキレン基、Ｍは、Ｓｉ（Ｒ３）３、Ｔｉ（Ｒ３）３、又はＡｌ（Ｒ３）２を示す。Ｒ３は、アルキル基又はアルコキシ基を示す。）
構造式（Ｉ）中、Ｒ１のアルキル基としては、メチル基、エチル基、ｎ−プロピル基、ｎ−ブチル基等の直鎖状アルキル基、i−プロピル基、t−ブチル基、エチルヘキシル基等の分岐状アルキル基、シクロヘキシル基等の環状アルキル基が挙げられ、接着性の観点から、炭素数３以下のアルキル基であることが好ましく、メチル基であることがより好ましい。Ｒ２のアルキレン基としては、メチレン基、エチレン基、ｎ−プロピレン基、ｎ−ブチレン基等が挙げられ、接着性の観点から、炭素数４以下のアルキレン基であることが好ましく、ｎ−プロピレン基であることがより好ましい。Ｒ３のアルコキシ基としては、メトキシ基、エトキシ基、ｎ−プロポキシ基、ｎ−ブトキシ基等の直鎖状アルコキシ基、イソプロポキシ基、エチルヘキシロキシ基等の分岐状アルコキシ基、シクロヘキシロキシ基等の環状アルコキシ基、トリフルオロメトキシ基、ペンタフルオロエトキシ基、１，１，１−トリフルオロエトキシ基等のフッ素原子を有するアルコキシ基が挙げられ、アルキル基はＲ１で例示したものが適用できる。接着性の観点から、炭素数３以下のアルコキシ基であることが好ましく、エトキシ基又はメトキシ基であることがより好ましい。構造式（Ｉ）を有する有機金属化合物としては、シランカップリング剤であることが好ましい。前記有機金属化合物の中でも、電気特性及び接着性の観点から、３−メタクリロキシプロピルトリメトキシシラン、３−メタクリロキシプロピルトリエトキシシランが特に好ましい。
【００２０】
金属酸化物粒子としては、塗布液の分散安定性が高いものが好ましく、具体的には、シリカ、アルミナ、酸化チタン、チタン酸バリウム、酸化亜鉛、酸化鉛、酸化インジウム等が挙げられ、これらの中でも、電気特性の観点から、ｎ型半導体特性を示す金属酸化物粒子が好ましく、酸化チタン、酸化亜鉛、酸化スズがより好ましく、酸化チタンがより好ましい。
【００２１】
酸化チタンとしては、結晶質、非晶質いずれも使用できるが、結晶質の場合、その結晶型はアナターゼ型、ルチル型、ブルッカイト型のいずれでも良いが、吸水性、表面処理の効率等の理由からアナターゼ型又はルチル型が用いることが好ましく、ルチル型のものを用いることがより好ましい。
金属酸化物粒子の平均一次粒子径は、塗布液への分散安定性の観点から、通常平均粒径の上限は１００ｎｍ以下であり、６０ｎｍ以下が好ましく、４０ｎｍ以下が特に好ましい。また、凝集抑制の観点から、下限は１ｎｍ以上であり、１０ｎｍ以上が好ましく、２０
ｎｍ以上が特に好ましい。塗布液に用いる粒子の粒径は、均一であってもまた、異なる粒径の複合系でもよい。例えば平均一次粒子径が１００ｍのものと３０ｎｍのものを混合して用いても良い。
【００２２】
本発明の構造式（Ｉ）を有する有機金属化合物（以下、表面処理剤ということがある）で処理された金属酸化物粒子は、乾式法及び湿式法の製造法で製造することができる。即ち、乾式法では、本発明の表面処理剤を、金属酸化物粒子と混合することによって金属酸化物粒子に被覆させ、必要に応じて加熱処理を行う方法で製造できる。湿式法では、金属酸化物粒子と、適当な溶媒に本発明の表面処理剤を混合したものを、均一に付着されるまでよく攪拌するか、メディアによって混合し、その後乾燥し、必要に応じて加熱処理を行う方法で製造することができる。
【００２３】
本発明の表面処理剤で処理することにより、構造式（Ｉ）を有する有機金属化合物が金属酸化物粒子表面に固く結合し、該粒子を含有する塗布液の分散安定性、低吸水性、良好な電気特性を発揮する。表面処理剤の量については、処理量が少ない場合、本発明の効果が得られず、処理量が多過ぎる場合には、粒子表面に修飾されない処理剤が存在し、塗布工程等の際に塗布膜のはじき等の原因になる。従って、用いられる金属酸化物粒子１００質量部に対して、接着性の観点から下限は、通常１質量部以上、好ましくは５質量部以上であり、より好ましくは１０質量部以上である。電気特性の観点から上限は、通常５０質量部以下、好ましくは３０質量部以下であり、より好ましくは２０質量部以下である。
【００２４】
下引き層のバインダー樹脂としては、ポリビニルアセタール、ポリアミド樹脂、フェノール樹脂、ポリエステル、エポキシ樹脂、ポリウレタン、ポリアクリル酸等の樹脂材料を用いることができる。中でも、支持体の接着性に優れ、電荷発生層塗布液に用いられる溶媒に対する溶解性の小さなポリアミド樹脂が好ましい。そして、ポリアミド樹脂の中でも、シクロアルカン環構造を構成成分として有する共重合ポリアミドが好ましく、シクロヘキサン環構造を構成成分として有する共重合ポリアミドがより好ましく、その中でも特に、下記構造式（ＩＩＩ）で示されるジアミン成分を構成材料として有する共重合ポリアミド樹脂が好ましい。
【００２５】
【化１】
0006503831.tif 000002
【００２６】
（式（ＩＩＩ）中、Ａ、Ｂは、それぞれ独立して置換基を有していてもよいシクロヘキサン環を表し、Ｘは置換基を有していてもよいメチレン基を表す。）
表面処理剤で処理された金属酸化物粒子とバインダー樹脂の比率は、電気特性面から、バインダー樹脂１００質量部に対して、通常５０質量部以上であり、１００質量部以上が好ましい。また、液の安定性及び塗布性の観点から、通常８００質量部以下であり、４００質量部以下が好ましい。下引き層は主として、構造式（Ｉ）を有する有機金属化合物で被覆された金属酸化物粒子とバインダー樹脂で構成されるが、必要に応じて、他の表面処理金属酸化合物粒子（フッ素シラン処理の酸化チタン、メチルジメトキシシラン処理の酸化チタン等）、を加えても良く、メチルジメトキシシラン処理酸化チタンを加えることが、転写性の面等で好ましい。又、表面処理無し金属化合物粒子、酸化防止剤、添加剤、導電剤等を加えても良い。
【００２７】
下引き層の膜厚は、通常０．１μｍ以上、局所的な帯電不良に対する効果の観点から、
好ましくは０．５μｍ以上、より好ましくは１μｍ以上である。また、通常２０μｍ以下、残留電位、あるいは導電性基体と感光層との間の接着強度の観点から、好ましくは１０μｍ以下、より好ましくは５μｍ以下で使用される。下引き層の体積抵抗値は、通常１×１０１１Ω・ｃｍ以上、好ましくは１×１０１２Ω・ｃｍ以上である。通常１×１０１４Ω・ｃｍ以下、好ましくは１×１０１３Ω・ｃｍ以下である。
【００２８】
前記構造式（Ｉ）を有する有機金属化合物で被覆された金属酸化物粒子とバインダー樹脂とを含有する下引き塗布液を得るためには、遊星ミル、ボールミル、サンドミル、ビーズミル、ペイントシェーカー、アトライター、超音波などの粉砕又は分散処理装置で処理されたゾルゲル法で製造されたシリカ粒子のスラリーと予めバインダー樹脂を適当な溶媒に溶かしたバインダー樹脂溶解液を混合し攪拌処理を行えばよい。又、シリカ分散スラリーにバインダー樹脂を添加し、溶解させることでも得られる。また、特許４９８５０９３号公報に記載されているような小径ビーズを用いて分散することもできる。更には、バインダー樹脂溶解液にシリカ粒子を添加し、前記分散装置で、粉砕又は分散処理を行うこともできる。
【００２９】
[感光層]
感光層の形式としては、電荷発生物質と電荷輸送物質とが同一層に存在し、バインダー樹脂中に分散された単層型と、電荷発生物質がバインダー樹脂中に分散された電荷発生層及び電荷輸送物質がバインダー樹脂中に分散された電荷輸送層の二層からなる機能分離型（積層型）とが挙げられるが、負帯電方式においては導電性支持体側から電荷発生層、電荷輸送層をこの順に積層して設ける順積層型感光層であることが好ましい。正帯電方式においては、単層型が好ましい。積層型感光体、単層型感光体ともに、感光層又はそれを構成する各層には、成膜性、可撓性、塗布性、耐汚染性、耐ガス性、耐光性などを向上させる目的で、周知の酸化防止剤、可塑剤、紫外線吸収剤、電子吸引性化合物、レベリング剤、可視光遮光剤などの添加物を含有させても良い。
【００３０】
[積層型感光層−電荷発生層]
積層型感光体（機能分離型感光体）の場合、電荷発生層は、電荷発生物質をバインダー樹脂で結着することにより形成される。電荷発生物質としては、セレニウム及びその合金、硫化カドミウム等の無機系光導電材料と、有機顔料等の有機系光導電材料とが挙げられるが、有機系光導電材料の方が好ましく、特に有機顔料が好ましい。有機顔料としては、例えば、フタロシアニン顔料、アゾ顔料、ジチオケトピロロピロール顔料、スクアレン（スクアリリウム）顔料、キナクリドン顔料、インジゴ顔料、ペリレン顔料、多環キノン顔料、アントアントロン顔料、ベンズイミダゾール顔料等が挙げられる。これらの中でも、特にフタロシアニン顔料又はアゾ顔料が好ましい。電荷発生物質として有機顔料を使用する場合、通常はこれらの有機顔料の微粒子を、各種のバインダー樹脂で結着した分散層の形で使用する。
【００３１】
電荷発生物質としてフタロシアニン顔料を使用する場合、具体的には無金属フタロシアニン、銅、インジウム、ガリウム、スズ、チタン、亜鉛、バナジウム、シリコン、ゲルマニウム、アルミニウムなどの金属又はその酸化物、ハロゲン化物、水酸化物、アルコキシドなどの配位したフタロシアニン類の各結晶型を持ったもの、酸素原子等を架橋原子として用いたフタロシアニンダイマー類などが使用される。特に、感度の高い結晶型であるＸ型、τ型無金属フタロシアニン、Ａ型（別称β型）、Ｂ型（別称α型）、Ｄ型（別称Ｙ型）等のチタニルフタロシアニン（別称：オキシチタニウムフタロシアニン）、バナジルフタロシアニン、クロロインジウムフタロシアニン、ヒドロキシインジウムフタロシアニン、II型等のクロロガリウムフタロシアニン、Ｖ型等のヒドロキシガリウムフタロシアニン、Ｇ型、Ｉ型等のμ−オキソ−ガリウムフタロシアニン二量体、II型等のμ−オキソ−アルミニウムフタロシアニン二量体が好適である。
【００３２】
また、これらフタロシアニンの中でも、Ａ型（別称β型）、Ｂ型（別称α型）、及び粉末Ｘ線回折の回折角２θ（±０．２゜）が２７．１゜、もしくは２７．３゜に明瞭なピークを示すことを特徴とするＤ型（Ｙ型）チタニルフタロシアニン、ＩＩ型クロロガリウムフタロシアニン、Ｖ型及び２８．１゜にもっとも強いピークを有すること、また２６．２゜にピークを持たず２８．１゜に明瞭なピークを有し、かつ２５．９゜の半値幅Ｗが０．１゜≦Ｗ≦０．４゜であることを特徴とするヒドロキシガリウムフタロシアニン、Ｇ型μ−オキソ−ガリウムフタロシアニン二量体等が特に好ましい。
【００３３】
フタロシアニン化合物は単一の化合物のものを用いてもよいし、幾つかの混合又は混晶状態のものを用いてもよい。ここでのフタロシアニン化合物ないしは結晶状態に置ける混合状態としては、それぞれの構成要素を後から混合したものを用いてもよいし、合成、顔料化、結晶化等のフタロシアニン化合物の製造・処理工程において混合状態を生じさせたものでもよい。このような処理としては、酸ペースト処理・磨砕処理・溶剤処理等が知られている。混晶状態を生じさせるためには、特開平１０−４８８５９号公報記載のように、２種類の結晶を混合後に機械的に磨砕、不定形化した後に、溶剤処理によって特定の結晶状態に変換する方法が挙げられる。
【００３４】
電荷発生層に用いるバインダー樹脂は特に制限されないが、例としては、ポリビニルブチラール樹脂、ポリビニルホルマール樹脂、ブチラールの一部がホルマールや、アセタール等で変性された部分アセタール化ポリビニルブチラール樹脂等のポリビニルアセタール系樹脂、ポリアリレート樹脂、ポリカーボネート樹脂、ポリエステル樹脂、変性エーテル系ポリエステル樹脂、フェノキシ樹脂、ポリ塩化ビニル樹脂、ポリ塩化ビニリデン樹脂、ポリ酢酸ビニル樹脂、ポリスチレン樹脂、アクリル樹脂、メタクリル樹脂、ポリアクリルアミド樹脂、ポリアミド樹脂、ポリビニルピリジン樹脂、セルロース系樹脂、ポリウレタン樹脂、エポキシ樹脂、シリコン樹脂、ポリビニルアルコール樹脂、ポリビニルピロリドン樹脂、カゼインや、塩化ビニル−酢酸ビニル共重合体、ヒドロキシ変性塩化ビニル−酢酸ビニル共重合体、カルボキシル変性塩化ビニル−酢酸ビニル共重合体、塩化ビニル−酢酸ビニル−無水マレイン酸共重合体等の塩化ビニル−酢酸ビニル系共重合体、スチレン−ブタジエン共重合体、塩化ビニリデン−アクリロニトリル共重合体、スチレン−アルキッド樹脂、シリコン−アルキッド樹脂、フェノール−ホルムアルデヒド樹脂等の絶縁性樹脂や、ポリ−Ｎ−ビニルカルバゾール、ポリビニルアントラセン、ポリビニルペリレン等の有機光導電性ポリマーなどが挙げられるが、ポリビニルアセタール樹脂が特に好ましく、ポリビニルアセタール樹脂としては、ポリビニルブチラール樹脂が好ましい。これらのバインダー樹脂は、何れか１種を単独で用いても良く、２種類以上を任意の組み合わせで混合して用いても良い。
【００３５】
電荷発生層において、バインダー樹脂と電荷発生物質との配合比（質量）は、バインダー樹脂１００質量部に対して電荷発生物質が通常１０質量部以上、好ましくは３０質量部以上、また、通常１０００質量部以下、好ましくは５００質量部以下の範囲であり、その膜厚は通常０．１μｍ以上、好ましくは０．１５μｍ以上、また、通常１０μｍ以下、好ましくは０．６μｍ以下の範囲である。電荷発生物質の比率が高過ぎると、電荷発生物質の凝集等により塗布液の安定性が低下するおそれがある一方、電荷発生物質の比率が低過ぎると、感光体としての感度の低下を招くおそれがある。粒子を０．５μｍ以下、好ましくは０．３μｍ以下、より好ましくは０．１５μｍ以下の範囲の粒子サイズに微細化することが有効である。
【００３６】
[積層型感光層−電荷輸送層]
積層型感光体の電荷輸送層は、電荷輸送物質とバインダー樹脂を含有する。更に必要に応じてその他の成分を含有してもよい。電荷輸送物質等とバインダー樹脂とを溶剤に溶解
又は分散して塗布液を作製し、電荷発生層上に、塗布、乾燥して得ることができる。積層型感光体の場合は、電荷輸送層にユニバーサル硬度が１２５Ｎ／ｍｍ２以下で弾性変形率が３５％の樹脂を含有するが、耐摩耗性の観点から、１２０Ｎ／ｍｍ２以下が好ましい。また、通常８０Ｎ／ｍｍ２以上であり、耐キズ性の観点から、１００Ｎ／ｍｍ２以上が好ましい。耐摩耗性及びクリーニング性の観点から、弾性変形率は４０％以上が好ましい。また、通常９０％以下であり、接着性及び溶解性の観点から８０％以下が好ましい。
【００３７】
ユニバーサル硬度及び弾性変形率は、微小硬度計（Ｆｉｓｃｈｅｒ社製：ＦＩＳＣＨＥＲＳＣＯＰＥ  Ｈ１００Ｃ）を用いて、温度２５℃、相対湿度５０％の環境下で測定した値である。測定には対面角１３６°のビッカース四角錐ダイヤモンド圧子を用いる。測定条件は以下の通りに設定して行い、圧子にかかる荷重とその荷重下における押し込み深さを連続的に読み取り、それぞれＹ軸、Ｘ軸にプロットした図１に示すようなプロファイルを取得する。
測定条件
最大荷重  ５ｍＮ
負荷所要時間  １０ｓ
除荷所要時間  １０ｓ
ユニバーサル硬度は、最大荷重５ｍＮで押し込んだ時の値であり、その時の変位量から以下の式により定義される値である。
【００３８】
ユニバーサル硬度（Ｎ／ｍｍ２）＝最大荷重（Ｎ）／最大荷重下でのビッカース圧子の表面積（ｍｍ２）
弾性変形率（％）＝（Ｗｅ／Ｗｔ）×１００
上記式中、Ｗｔは全仕事量（ｎＪ）を表し、図１中のＡ−Ｂ−Ｄ−Ａで囲まれる面積で表される。
【００３９】
弾性変形率が大きいほど、負荷に対する変形が残留しにくいことを表し、弾性変形率１００％とは変形が一切残らないことを意味する。
ユニバーサル硬度が１２５Ｎ／ｍｍ２以下で弾性変形率が３５％以上の樹脂としては、例えばブタジエン樹脂、スチレン樹脂、酢酸ビニル樹脂、塩化ビニル樹脂、アクリル酸エステル樹脂、メタクリル酸エステル樹脂、ビニルアルコール樹脂、エチルビニルエーテル等のビニル化合物の重合体及び共重合体、ポリビニルブチラール樹脂、ポリビニルホルマール樹脂、部分変性ポリビニルアセタール、ポリカーボネート樹脂、ポリアリレート樹脂、ポリエステル樹脂、ポリアミド樹脂、ポリウレタン樹脂、セルロースエステル樹脂、フェノキシ樹脂、シリコン樹脂、シリコン−アルキッド樹脂、ポリ−Ｎ−ビニルカルバゾール樹脂等が挙げられるが、電気特性及び耐摩耗性の面で、ポリアリレート樹脂又はポリカーボネート樹脂が好ましい。その中でも特に、以下に示すユニットを有するポリアリレート樹脂又はポリカーボネート樹脂が好ましい。
【００４０】
【化２】
0006503831.tif 000003
【００４１】
ユニバーサル硬度が１２５Ｎ／ｍｍ２以下で弾性変形率が３５％以上の樹脂は、通常電
荷輸送層の全バインダー樹脂に対して５０質量％以上であり、耐摩耗性の面から、８０質量％以上が好ましい。必要に応じてユニバーサル硬度が１２５Ｎ／ｍｍ２より大きい又は弾性変形率が３５％以下の樹脂が含まれていても良い。
電荷輸送物質としては特に限定されず、任意の物質を用いることが可能である。公知の電荷輸送物質の例としては、２，４，７−トリニトロフルオレノン等の芳香族ニトロ化合物、テトラシアノキノジメタン等のシアノ化合物、ジフェノキノン等のキノン化合物等の電子輸送性物質、カルバゾール誘導体、インドール誘導体、イミダゾール誘導体、オキサゾール誘導体、ピラゾール誘導体、チアジアゾール誘導体、ベンゾフラン誘導体等の複素環化合物、アニリン誘導体、ヒドラゾン誘導体、芳香族アミン誘導体、スチルベン誘導体、ブタジエン誘導体、エナミン誘導体及びこれらの化合物の複数種が結合したもの、或いはこれらの化合物からなる基を主鎖又は側鎖に有する重合体等の正孔輸送性物質等が挙げられる。これらの中でも、電気特性の観点から、カルバゾール誘導体、芳香族アミン誘導体、スチルベン誘導体、ブタジエン誘導体、エナミン誘導体、及びこれらの化合物の複数種が結合したものが好ましく、エナミン誘導体が特に好ましい。これらの電荷輸送物質は、何れか１種を単独で用いても良く、２種以上を任意の組み合わせで併用しても良い。構造の具体例を以下に示す。
【００４２】
【化３】
0006503831.tif 000004
【００４３】
【化４】
0006503831.tif 000005
【００４４】
バインダー樹脂と電荷輸送物質との割合としては、通常バインダー樹脂１００質量部に対して電荷輸送物質を１０質量部以上の比率で使用する。中でも、残留電位低減の観点から２０質量部以上が好ましく、繰り返し使用した際の安定性や電荷移動度の観点から３０重量部以上がより好ましい。一方、感光層の熱安定性の観点から、通常電荷輸送物質を１００質量部以下の比率で使用する。中でも、電荷輸送材料とバインダー樹脂との相溶性の観点から７０質量部以下が好ましく、耐摩耗性の観点から６０質量部以下がより好ましく、耐傷性の観点から５０質量部以下が特に好ましい。
【００４５】
電荷輸送層の膜厚は特に制限されないが、長寿命、感度の観点から、通常５μｍ以上、好ましくは１５μｍ以上、高解像度及び生産性の観点から、通常４０μｍ以下、好ましくは２５μｍ以下である。
[単層型感光層]
単層型感光層は、電荷発生物質と電荷輸送物質に加えて、積層型感光体の電荷輸送層と同様に、バインダー樹脂としてユニバーサル硬度が１２５Ｎ／ｍｍ２以下で弾性変形率が３５％以上の樹脂を使用して形成する。具体的には、電荷発生物質と電荷輸送物質とユニバーサル硬度が１２５Ｎ／ｍｍ２以下で弾性変形率が３５％以上の樹脂とを溶剤に溶解又は分散して塗布液を作製し、下引き層上に塗布、乾燥して得ることができる。
【００４６】
電荷輸送物質の種類並び電荷輸送物質とバインダー樹脂の使用比率は、積層型感光体の電荷輸送層について説明したものと同様である。これらの電荷輸送物質及びバインダー樹脂からなる電荷輸送媒体中に、更に電荷発生物質が分散される。電荷発生物質は、積層型感光体の電荷発生層について説明したものと同様のものが使用できる。但し、単層型感光体の感光層の場合、電荷発生物質の粒子径を充分に小さくする必要がある。具体的には、通常１μｍ以下、好ましくは０．５μｍ以下の範囲とする。単層型感光層内に分散される電荷発生物質の量は、少な過ぎると充分な感度が得られない一方で、多過ぎると帯電性の低下、感度の低下などの弊害があることから、単層型感光層全体に対して通常０．５質量％以上、好ましくは１質量％以上、また、通常５０質量％以下、好ましくは２０質量％以下の範囲で使用される。また、単層型感光層におけるバインダー樹脂と電荷発生物質との使用比率は、バインダー樹脂１００質量部に対して電荷発生物質が通常０．１質量部以上、好ましくは１質量部以上、また、通常３０質量部以下、好ましくは１０質量部以下の範囲である。
【００４７】
単層型感光層の膜厚は、通常５μｍ以上、好ましくは１０μｍ以上、また、通常１００μｍ以下、好ましくは５０μｍ以下の範囲である。
[その他の機能層]
また、積層型感光体、単層型感光体ともに、上記手順により形成された感光層を最上層、即ち表面層としてもよいが、その上に更に別の層を設け、これを表面層としてもよい。例えば、感光層の損耗を防止したり、帯電器等から発生する放電生成物等による感光層の劣化を防止・軽減する目的で、保護層を設けても良い。ユニバーサル硬度が１２５Ｎ／ｍｍ２以下で、弾性変形率が３５％以上の樹脂の耐摩耗性が良好であり、その特性を生かすため、又、生産工程を少なくすることが出来ることから感光層が表面層であることが好ましい。
【００４８】
[各層の形成方法]
本発明の下引き層、及び感光体を構成する各層は、各層に含有させる物質を溶剤に溶解又は分散させて得られた塗布液を、支持体上に浸漬塗布、スプレー塗布、ノズル塗布、バーコート、ロールコート、ブレード塗布等の公知の方法により、各層ごとに順次塗布・乾燥工程を繰り返すことにより形成される。
【００４９】
塗布液の作製に用いられる溶媒又は分散媒に特に制限は無いが、具体例としては、メタノール、エタノール、プロパノール、２−メトキシエタノール等のアルコール類、テトラヒドロフラン、１，４−ジオキサン、ジメトキシエタン等のエーテル類、ギ酸メチル、酢酸エチル等のエステル類、アセトン、メチルエチルケトン、シクロヘキサノン等のケトン類、ベンゼン、トルエン、キシレン等の芳香族炭化水素類、ジクロロメタン、クロロホルム、１，２−ジクロロエタン、１，１，２−トリクロロエタン、１，１，１−トリクロロエタン、テトラクロロエタン、１，２−ジクロロプロパン、トリクロロエチレン等の塩素化炭化水素類、ｎ−ブチルアミン、イソプロパノールアミン、ジエチルアミン、トリエタノールアミン、エチレンジアミン、トリエチレンジアミン等の含窒素化合物類、アセトニトリル、Ｎ−メチルピロリドン、Ｎ，Ｎ−ジメチルホルムアミド、ジメチルスルホキシド等の非プロトン性極性溶剤類等が挙げられる。また、これらは１種を単独で用いても良く、２種以上を任意の組み合わせ及び種類で併用してもよい。
【００５０】
溶媒又は分散媒の使用量は特に制限されないが、各層の目的や選択した溶媒・分散媒の性質を考慮して、塗布液の固形分濃度や粘度等の物性が所望の範囲となるように適宜調整するのが好ましい。例えば、単層型感光体、及び機能分離型感光体の電荷輸送層の場合には、塗布液の固形分濃度を通常５質量％以上、通常５質量％以上、好ましくは１０質量％以上、また、通常４０質量％以下、好ましくは３５質量％以下の範囲とする。また、塗布
液の粘度を通常１０ｃｐｓ以上、好ましくは５０ｃｐｓ以上、また、通常５００ｃｐｓ以下、好ましくは４００ｃｐｓ以下の範囲とする。
【００５１】
また、積層型感光体の電荷発生層の場合には、塗布液の固形分濃度は、通常０．１質量％以上、好ましくは１質量％以上、また、通常１５質量％以下、好ましくは１０質量％以下の範囲とする。また、塗布液の粘度は、通常０．０１ｃｐｓ以上、好ましくは０．１ｃｐｓ以上、また、通常２０ｃｐｓ以下、好ましくは１０ｃｐｓ以下の範囲とする。
塗布液の塗布方法としては、浸漬コーティング法、スプレーコーティング法、スピナーコーティング法、ビードコーティング法、ワイヤーバーコーティング法、ブレードコーティング法、ローラーコーティング法、エアーナイフコーティング法、カーテンコーティング法等が挙げられるが、他の公知のコーティング法を用いることも可能である。
【００５２】
＜画像形成装置、カートリッジ＞
本発明の電子写真感光体を使用する複写機、プリンター等の画像形成装置は、少なくとも帯電、露光、現像、転写、除電の各プロセスを含むが、どのプロセスも通常用いられる方法のいずれを用いてもよい。図２に示すように、画像形成装置は、電子写真感光体１、帯電装置２、露光装置３、現像装置４を備えて構成され、更に必要に応じて転写装置５、クリーニング装置６及び定着装置７が設けられる。
【実施例】
【００５３】
以下、本発明を実施例、比較例により更に詳細に説明するが、本発明はその要旨を超えない限り、これらに限定されるものではない。なお、実施例中で用いる「部」は特に断りがない限り「質量部」を示す。
【００５４】
＜下引き層塗布形成用分散液の製造＞
[下引き層形成用塗布液Ｐ１]
平均一次粒子径４０ｎｍのルチル型白色酸化チタン（石原産業（株）製、製品名  ＴＴＯ５５Ｎ）と該酸化チタン１００部に対して、３−メタクリロキシプロピルトリメトキシシラン1５部を、せん断力により、ミキサー内の温度が１６０℃に達するまでスーパーミ
キサーで攪拌して、表面処理を行った。次にこの表面処理をした酸化チタン２５０ｇと、メタノール７５０ｇとを混合してなる原料スラリー１０００ｇを、直径約５０μｍのジルコニアビーズ（株式会社ニッカトー製  ＹＴＺ）を分散メディアとして、ミル容積約０．１５Ｌの寿工業株式会社製ウルトラアペックスミル（ＵＡＭ−０１５型）を用い、ロータ周速１０ｍ／秒、液流量６ｇ／秒の循環状態で、２８分間分散処理し、酸化チタンの分散液を作製した。この酸化チタン分散液と、予めメタノール／１−プロパノール／トルエンの混合溶媒に溶解した市販の共重合ポリアミド樹脂（東レ(株)製、製品名ＣＭ８０００）溶液を撹拌混合後、周波数２５ｋＨｚ，出力１２００Ｗの超音波発信器による超音波分散処理を１時間行い、更に孔径５μｍのＰＴＦＥ製メンブレンフィルター（アドバンテック製  マイテックス  ＬＣ）により濾過し、酸化チタン／共重合ポリアミドを質量比が２／１であり、メタノール／１−プロパノール／トルエンの混合溶媒の質量比が７／１／２であって、含有する固形分の濃度が１５．７５％の下引き層形成用塗布液Ｐ１を得た。
【００５５】
[下引き層形成用塗布液Ｐ２]
表面処理剤をメチルジメトキシシランに変更し、表面処理剤量を３部に変更した以外は、分散液Ｐ１と同様にして下引き形成用塗布液Ｐ２を得た。
【００５６】
[電荷発生層形成用塗布液Ｑ１]
ＣｕＫα線により粉末Ｘ線スペクトルパターンにおいてブラッグ角（２θ±０．２゜）２７．３゜に特徴的なピークを示すオキシチタニウムフタロシニアン１０部と、ポリビニルアセタール樹脂（電気化学工業（株）製、商品名ＤＫ３１）５部と、ポリビニルアセタ
ール樹脂（積水化学工業(株)製、商品名ＫＳ１）２部を１，２−ジメトキシエタン５００部とを混合し、サンドグラインドミルで粉砕、分散処理を行い、電荷発生層形成用塗布液Ｑ１を得た。
【００５７】
[電荷輸送層形成用塗布液Ｒ１]
下記構造式（Ａ）で表されるポリアリレート樹脂（粘度平均分子量 ３７，０００）１
００部、下記構造式（Ｖ）で表される電荷輸送物質４０部、ジブチルヒドロキシトルエン４部、トリベンジルアミン１部、下記構造式（ＶＩ）で表される化合物１部を、テトラヒドロフラン：トルエン＝８／２の混合溶媒に溶解、撹拌混合することで、固形分濃度１５％の電荷輸送層形成用塗布液Ｒ１を得た。
【００５８】
【化５】
0006503831.tif 000006
【００５９】
[電荷輸送層形成用塗布液Ｒ２]
前記構造式（Ａ）で表されるポリアリレート樹脂を下記構造式（Ｂ）で表されるポリカーボネート樹脂（粘度平均分子量５０，０００）に変更した以外は、電荷輸送層形成用塗布液Ｒ１と同様にして電荷輸送層形成用塗布液Ｒ２を得た。
【００６０】
【化６】
0006503831.tif 000007
【００６１】
[電荷輸送層形成用塗布液Ｒ３]
前記構造式（Ａ）で表されるポリアリレート樹脂を下記構造式（Ｃ）で表されるポリカーボネート樹脂（粘度平均分子量５０，０００）に変更した以外は、電荷輸送層形成用塗
布液Ｒ１と同様にして電荷輸送層形成用塗布液Ｒ３を得た。
【００６２】
【化７】
0006503831.tif 000008
【００６３】
[電荷輸送層形成用塗布液Ｒ４]
前記構造式（Ａ）で表されるポリアリレート樹脂を下記構造式（Ｄ）で表されるポリカーボネート樹脂（粘度平均分子量４０，０００）に変更した以外は、電荷輸送層形成用塗布液Ｒ１と同様にして電荷輸送層形成用塗布液Ｒ４を得た。
【００６４】
【化８】
0006503831.tif 000009
【００６５】
[電荷輸送層形成用塗布液Ｒ５]
前記構造式（Ａ）で表されるポリアリレート樹脂を下記構造式（Ｅ）で表されるポリカーボネート樹脂（粘度平均分子量３０，０００）に変更した以外は、電荷輸送層形成用塗布液Ｒ１と同様にして電荷輸送層形成用塗布液Ｒ５を得た。
【００６６】
【化９】
0006503831.tif 000010
【００６７】
[電荷輸送層形成用塗布液Ｒ６]
前記構造式（Ａ）で表されるポリアリレート樹脂を構造式（Ｆ）で表されるポリアリレート樹脂（粘度平均分子量３０，０００）に変更した以外は、電荷輸送層形成用塗布液Ｒ１と同様にして電荷輸送層形成用塗布液Ｒ６を得た。
【００６８】
【化１０】
0006503831.tif 000011
【００６９】
[電荷輸送層形成用塗布液Ｒ７]
前記構造式（Ａ）で表されるポリアリレートを構造式（Ｇ）で表されるポリカーボネート樹脂（粘度平均分子量２０，０００）に変更した以外は、電荷輸送層形成用塗布液Ｒ７を得た。
【００７０】
【化１１】
0006503831.tif 000012
【００７１】
[バインダー樹脂液Ｔ１]
前記構造式（Ａ）で表されるポリアリレート樹脂（粘度平均分子量 ３７，０００）１
００部、シリコーンオイル（信越シリコーン社製：商品名  ＫＦ−９６）０．０７部をテトラヒドロフラン：トルエン＝８：２の混合溶媒に撹拌混合することで、固形分濃度が１２．０質量％のバインダー樹脂液Ｔ１を得た。
【００７２】
[バインダー樹脂液Ｔ２]
前記構造式（Ａ）で表されるポリアリレート樹脂を構造式（Ｂ）で表されるポリカーボネート樹脂（粘度平均分子量５０，０００）に変更した以外は、バインダー樹脂液１と同様にしてバインダー樹脂液Ｔ２を得た。
[バインダー樹脂液Ｔ３]
前記構造式（Ａ）で表されるポリアリレート樹脂を構造式（Ｃ）で表されるポリカーボネート樹脂（粘度平均分子量５０，０００）に変更した以外は、バインダー樹脂液Ｔ１と同様にしてバインダー樹脂液Ｔ３を得た。
【００７３】
[バインダー樹脂液Ｔ４]
前記構造式（Ａ）で表されるポリアリレート樹脂を構造式（Ｄ）で表されるポリカーボネート樹脂（粘度平均分子量４０，０００）に変更した以外は、バインダー樹脂液Ｔ１と同様にしてバインダー樹脂液Ｔ４を得た。
[バインダー樹脂液Ｔ５]
前記構造式（Ａ）で表されるポリアリレート樹脂を構造式（Ｅ）で表されるポリカーボネート樹脂（粘度平均分子量３０，０００）に変更した以外は、バインダー樹脂液Ｔ１と同様にしてバインダー樹脂液Ｔ５を得た。
【００７４】
[バインダー樹脂液Ｔ６]
前記構造式（Ａ）で表されるポリアリレート樹脂を構造式（Ｆ）で表されるポリカーボネート樹脂（粘度平均分子量３０，０００）に変更した以外は、バインダー樹脂液Ｔ１と同様にしてバインダー樹脂液Ｔ６を得た。
[バインダー樹脂液Ｔ７]
前記構造式（Ｇ）で表されるポリカーボネート樹脂（粘度平均分子量 ２０，０００）
１００部、シリコーンオイル（信越シリコーン社製：商品名  ＫＦ−９６）０．０７部を１，３ジオキソラン溶媒に撹拌混合することで、固形分濃度が１５．０質量％のバインダー樹脂液Ｔ７を得た。
【００７５】
＜実施例１＞
下引き層形成用塗布液Ｐ１を、厚さ１ｍｍのアルミ板にワイヤーバーで塗布し、その乾燥膜厚が１．５μｍとなるように下引き層を設けた。下引き層上に電荷発生層形成用塗布液Ｑ１をワイヤーバーで塗布し、その乾燥膜厚が０．３ｇ／ｍ２となるようにして電荷発
生層を設けた。電荷発生層上に電荷輸送層形成用塗布液Ｒ１をアプリケータで塗布し、１２５℃で２０分間乾燥し、その乾燥膜厚が１８μｍとなるように作製した感光体を感光体Ｓ１とする。
【００７６】
＜実施例２＞
電荷輸送層形成用塗布液Ｒ１を電荷輸送層形成用塗布液Ｒ２に変更した以外は、感光体Ｓ１と同様にして作製した感光体を感光体Ｓ２とする。
＜実施例３＞
電荷輸送層形成用塗布液Ｒ１を電荷輸送層形成用塗布液Ｒ３に変更した以外は、感光体Ｓ１と同様にして作製した感光体を感光体Ｓ３とする。
【００７７】
＜比較例１＞
下引き層形成用塗布液Ｐ１を下引き層形成用塗布液Ｐ２に変更した以外は、感光体Ｓ１と同様にして作製した感光体を感光体Ｓ４とする。
＜比較例２＞
電荷輸送層形成用塗布液Ｒ１を電荷輸送層形成用塗布液Ｒ２に変更した以外は、感光体Ｓ４と同様にして作製した感光体を感光体Ｓ５とする。
【００７８】
＜比較例３＞
電荷輸送層形成用塗布液Ｒ１を電荷輸送層形成用塗布液Ｒ３に変更した以外は、感光体Ｓ４と同様にして作製した感光体を感光体Ｓ６とする。
【００７９】
＜参考例１＞
電荷輸送層形成用塗布液Ｒ１を電荷輸送層形成用塗布液Ｒ４に変更した以外は、感光体Ｓ１と同様にして作製した感光体を感光体Ｓ７とする。
下引き層形成用塗布液Ｐ１を下引き層形成用塗布液Ｐ２に変更した以外は、感光体Ｓ７と同様にして作製した感光体を感光体Ｓ８とする。
【００８０】
＜参考例２＞
電荷輸送層形成用塗布液Ｒ１を電荷輸送層形成用塗布液Ｒ５に変更した以外は、感光体Ｓ１と同様にして作製した感光体を感光体Ｓ９とする。
下引き層形成用塗布液Ｐ１を下引き層形成用塗布液Ｐ２に変更した以外は、感光体Ｓ９と同様にして作製した感光体を感光体Ｓ１０とする。
【００８１】
＜参考例３＞
電荷輸送層形成用塗布液Ｒ１を電荷輸送層形成用塗布液Ｒ６に変更した以外は、感光体Ｓ１と同様にして作製した感光体を感光体Ｓ１１とする。
下引き層形成用塗布液Ｐ１を下引き層形成用塗布液Ｐ２に変更した以外は、感光体Ｓ１１と同様にして作製した感光体を感光体Ｓ１２とする。
【００８２】
＜参考例４＞
電荷輸送層形成用塗布液Ｒ１を電荷輸送層形成用塗布液Ｒ７に変更した以外は、感光体Ｓ１と同様にして作製した感光体を感光体Ｓ１３とする。
下引き層形成用塗布液Ｐ１を下引き層形成用塗布液Ｐ２に変更した以外は、感光体Ｓ１３と同様にして作製した感光体を感光体Ｓ１４とする。
【００８３】
[ユニバーサル硬度及び弾性変形率測定用サンプルＢ１]
バインダー樹脂液Ｔ１を、厚さ４ｍｍのガラス板にアブリケータで塗布し、１２５℃で２０分間乾燥し、その乾燥膜厚が１５μｍとなるように樹脂層を設けた。このユニバーサル硬度測及び弾性変形率定用サンプルをＢ１とする。
[ユニバーサル硬度及び弾性変形率測定用サンプルＢ２]
バインダー樹脂液Ｔ１をバインダー樹脂液Ｔ２に変更した以外は、Ｂ１と同様に作製したユニバーサル硬度及び弾性変形率測定用サンプルをＢ２とする。
【００８４】
[ユニバーサル硬度及び弾性変形率測定用サンプルＢ３]
バインダー樹脂液Ｔ１をバインダー樹脂液Ｔ３に変更した以外は、Ｂ１と同様に作製したユニバーサル硬度及び弾性変形率測定用サンプルをＢ３とする。
[ユニバーサル硬度及び弾性変形率測定用サンプルＢ４]
バインダー樹脂液Ｔ１をバインダー樹脂液Ｔ４に変更した以外は、Ｂ１と同様に作製したユニバーサル硬度及び弾性変形率測定用サンプルをＢ４とする。
【００８５】
[ユニバーサル硬度及び弾性変形率測定用サンプルＢ５]
バインダー樹脂液Ｔ１をバインダー樹脂液Ｔ５に変更した以外は、Ｂ１と同様に作製したユニバーサル硬度及び弾性変形率測定用サンプルをＢ５とする。
[ユニバーサル硬度及び弾性変形率測定用サンプルＢ６]
バインダー樹脂液Ｔ１をバインダー樹脂液Ｔ６に変更した以外は、Ｂ１と同様に作製したユニバーサル硬度及び弾性変形率測定用サンプルをＢ６とする。
【００８６】
[ユニバーサル硬度及び弾性変形率測定用サンプルＢ７]
バインダー樹脂液Ｔ１をバインダー樹脂液Ｔ７に変更した以外は、Ｂ１と同様に作製したユニバーサル硬度及び弾性変形率測定用サンプルをＢ７とする。
［接着性評価］
感光体Ｓ１〜Ｓ１４を、カミソリの刃で、２ｍｍ角で２５個の碁盤目のキズを付け、セロハンテープ（３Ｍ）で剥離テストを行った。各感光体の剥離個数を表−１及び表―２に示す。
【００８７】
[ユニバーサル硬度及び弾性変形率測定]
ユニバーサル硬度及び弾性変形率測定用サンプルＢ１〜Ｂ７を、温度２５℃、相対湿度５０％の環境下で、微小硬度計（Fｉｓｃｈｅｒ社製：ＦＩＳＣＨＥＲＳＣＯＰＥ  ＨＭ
２０００）を用いて、下記測定条件で測定した。各サンプルのユニバーサル硬度及び弾性変形率を表−３に示す。
【００８８】
（ユニバーサル硬度及び弾性変形率測定条件）
圧子：対面角１３６°のビッカース四角錐ダイヤモンド圧子
最大押し込み荷重：５ｍＮ
負荷所要時間：１０秒
除荷所要時間：１０秒
ユニバーサル硬度は、下記式より求められる。
ユニバーサル硬度（Ｎ／ｍｍ２）＝最大押し込み荷重／最大押し込み荷重時のくぼみ面積
【００８９】
【表１】
0006503831.tif 000013
【００９０】
【表２】
0006503831.tif 000014
【００９１】
【表３】
0006503831.tif 000015
【００９２】
電荷輸送層のバインダー樹脂のユニバーサル硬度が１２５Ｎ／ｍｍ２より大きい又は弾性変形率が３５％以下の参考例の電子写真感光体（Ｓ７、Ｓ８、Ｓ９、Ｓ１０、Ｓ１１、Ｓ１２、Ｓ１３、Ｓ１４）の場合は、下引き層が前記構造式（Ｉ）を有する有機金属化合物で表面処理された金属酸化物粒子の有無に関わらず、接着性は良好であった。電荷輸送層のバインダー樹脂のユニバーサル硬度が１２５Ｎ／ｍｍ２以下且つ弾性変形率が３５％以上の感光体（Ｓ１、Ｓ２、Ｓ３、Ｓ４、Ｓ５、Ｓ６）の場合は、下引き層が前記構造式（Ｉ）で表面処理された金属酸化物粒子を含有する場合にのみ接着性は良好であった。実施例２は、比較的接着性の良好な感光層組成であるが、比較例２と比較すると接着性をさらに良好に改善したことが分かる。実施例３は特に接着性の悪い感光層組成であるが、比較例３と比較すると接着性を大幅に改善したことが分かる。
【符号の説明】
【００９３】
１    感光体（電子写真感光体）
２    帯電装置（帯電ローラ；帯電部）
３    露光装置（露光部）
４    現像装置（現像部）
５    転写装置
６    クリーニング装置（クリーニング部）
７    定着装置
４１  現像槽
４２  アジテータ
４３  供給ローラー
４４  現像ローラー
４５  規制部材
７１  上部定着部材（加圧ローラー）
７２  下部定着部材（定着ローラー）
７３  加熱装置
Ｔ    トナー
Ｐ    記録紙（用紙，媒体）
【図１】
0006503831.tif 000016
【図２】
0006503831.tif 000017